(57)【要約】      （修正有）【課題】暗所において使用者が寝具の表裏及び上下を認識することができる寝具を提供する。【解決手段】長方形状の表地１と裏地２が帯状体４を介して縫合されてなる寝具であって、前記裏地は、その長辺５が前記表地の長辺６より長く、且つ長辺方向の一方端が前記表地側に折り返されて折り返し部を形成しており、該折り返し部における前記裏地の長辺は前記表地の長辺よりも短く、前記表地と裏地は、前記折り返し部における前記裏地の短辺が前記表地の上方の短辺と前記帯状体を介して縫合されるとともに、２つの長辺と下方の短辺が前記帯状体で包まれて縫合されており、前記帯状体の表面に蓄光部４１を備えている。【選択図】図１
2016067737.tif 000002
【特許請求の範囲】
【請求項１】
長方形状の表地と裏地の周縁が帯状体を介して縫合されてなる寝具であって、
前記裏地は、その長辺が前記表地の長辺より長く、且つ長辺方向の一方が前記表地側に折り返されて折り返し部を形成しており、該折り返し部における前記裏地の長辺は前記表地の長辺よりも短く、
前記表地と裏地は、前記折り返し部における前記裏地の一方の短辺が前記表地の一方の短辺と前記帯状体を介して縫合されるとともに、２つの長辺と他方の短辺が前記帯状体で包まれて縫合されており、
前記帯状体の表面に蓄光部を備えている、
ことを特徴とする蓄光部を含む寝具。
【請求項２】
前記帯状体は、表面に凸形状部を有することを特徴とする請求項１記載の蓄光部を含む寝具。
【請求項３】
前記凸形状部は、前記帯状体の表面の一部が起毛加工により形成されることを特徴とする請求項２記載の蓄光部を含む寝具。
【請求項４】
前記蓄光部は、前記凸形状部の表面を塗膜することにより形成されることを特徴とする請求項２又は３記載の蓄光部を含む寝具。
【請求項５】
前記帯状体の表面には、前記蓄光部により凸形状部が形成されることを特徴とする請求項１乃至３何れかに記載の蓄光部を含む寝具。
【請求項６】
前記帯状体は、ガーゼであることを特徴とする請求項１乃至５何れかに記載の蓄光部を含む寝具。
【発明の詳細な説明】
【技術分野】
【０００１】
本発明は、蓄光部を含む寝具に関し、より詳しくは暗所においても使用者が寝具の表裏及び上下を認識することができる寝具に関するものである。
【背景技術】
【０００２】
夜間睡眠中に、毛布や上布団、タオルケット等の寝具がベッドから落下することがある。このような場合に落下した寝具を探す際、暗所であるため、寝具の表裏と上下を認識するためには、照明を点灯する必要があり、点灯により覚醒し安眠が妨げられてしまうことがある。
【０００３】
このような実情に鑑みて、明るい状態では太陽光等の光エネルギーを吸収して一時的に蓄え、暗い状態になると蓄えた光を徐々に放出して発光する性質を有する蓄光材料を寝具に利用して、暗所においても視覚により認識させることができる寝具が提案されている（特許文献１、２）。
【０００４】
特許文献１には、毛布に関する技術が開示されており、詳しくはシート体の外周部を蓄光繊維からなる糸により縫製することで、毛布の存在位置を使用者に容易に認識させることができる技術である。
【０００５】
特許文献２には、寝具カバーに関する技術が開示されており、詳しくは寝具カバーの上布部の一部に蓄光材料を含んだ繊維をストライプ状に構成することで、介護者が要介護者及び寝具の状態を目視で容易に認識することができる技術である。
【０００６】
また、従来の寝具は表生地と裏生地を縫い付ける際、夫々の縁部は合成樹脂製テープ等を用いて縫い付けられているが、睡眠中に縁部が首や肩等に接触することで寝心地が悪くなり、縁部に蓄光材料が塗布されている場合、使用者がアレルギー反応を引き起こす可能性がある。
【０００７】
このような問題点に対応する技術として、特許文献３には、衿付き毛布に関する技術が開示されており、詳しくは２層に折り畳まれている衿部材が、毛布本体の片方の短辺に毛布本体とほとんど重なり合うことなく縫い付けられている技術である。
【０００８】
また、特許文献４には、緯編編成による毛布についての技術が開示されており、詳しくは毛布の上縁部を表面側に折り返して端部を止着することで上縁部に袋状衿部が形成され、袋状衿部により毛布のほつれを防止することができる技術である。
【先行技術文献】
【特許文献】
【０００９】
【特許文献１】実公平６−２０４６６号公報
【特許文献２】特開２００１−１６９８８４号公報
【特許文献３】実用新案登録第３１０６１１９号公報
【特許文献４】実公昭６１−１４７０７２号公報
【発明の概要】
【発明が解決しようとする課題】
【００１０】
しかしながら、特許文献１乃至４の開示技術には、以下に述べる問題点が存在していた。
【００１１】
特許文献１の開示技術の場合、毛布の表面と裏面が同じ形態であるため、蓄光部は表裏で同じ位置において光る。そのため、暗所において、表裏を認識することができない。また、毛布の外周部に蓄光繊維からなる糸により縫製されているので、使用者の首元や肩に縫製部分が接触することにより、アレルギー反応を引き起こす可能性がある。
【００１２】
特許文献２の開示技術の場合、寝具カバーの上布部（表生地）の一部に蓄光材料を含んだ繊維がストライプ状に構成されているが、カバーの端部に沿って蓄光材料を備えていないため、使用者は暗所で寝具の端部を認識することが難しく、寝具の位置を正確に認識できない。また、上布部のみに蓄光材料を含んだ繊維が含まれているため、暗所において寝具が裏返った場合、使用者は寝具の存在を認識することができない。
【００１３】
特許文献３の開示技術の場合、蓄光材料を備えていない上に、衿部材は毛布本体の表面と裏面に縫いつけられているので、表面と裏面が同じ縫製形態となり、暗所において毛布の表面と裏面とを認識することができない。
【００１４】
特許文献４の開示技術の場合、折り直された止着部がテープ等でカバーされていないため、止着部がほつれたり、外れたりし易い。また、毛布は蓄光部を備えておらず、生地の縁部は何れも袋状衿部を有しているため、暗所において、使用者は上下を認識することができない。
【００１５】
更に、たとえ寝具に蓄光部を設けたとしても、使用者が視覚に障害がある場合には、寝具の表裏及び上下を認識することが困難である。また、蓄光部が劣化して発光しなくなると、暗所での表裏及び上下の認識が困難となる。
【００１６】
本発明は、上記した従来技術の課題を解決するものであり、暗所において、寝具の表裏及び上下を認識することができるとともに、寝心地に優れ、寝具の端部のほつれ及び折り返し部が外れることを防止でき、更に視覚に障害がある使用者でも、寝具の表裏及び上下を認識することができる寝具を提供するものである。
【課題を解決するための手段】
【００１７】
請求項１に係る発明は、長方形状の表地と裏地の周縁が帯状体を介して縫合されてなる寝具であって、前記裏地は、その長辺が前記表地の長辺より長く、且つ長辺方向の一方が前記表地側に折り返されて折り返し部を形成しており、該折り返し部における前記裏地の長辺は前記表地の長辺よりも短く、前記表地と裏地は、前記折り返し部における前記裏地の一方の短辺が前記表地の一方の短辺と前記帯状体を介して縫合されるとともに、２つの長辺と他方の短辺が前記帯状体で包まれて縫合されており、前記帯状体の表面に蓄光部を備えていることを特徴とする蓄光部を含む寝具に関する。
【００１８】
請求項２に係る発明は、前記帯状体は、表面に凸形状部を有することを特徴とする請求項１記載の蓄光部を含む寝具に関する。
【００１９】
請求項３に係る発明は、前記凸形状部は、前記帯状体の表面の一部が起毛加工により形成されることを特徴とする請求項２記載の蓄光部を含む寝具に関する。
【００２０】
請求項４に係る発明は、前記蓄光部は、前記凸形状部の表面を塗膜することにより形成されることを特徴とする請求項２又は３記載の蓄光部を含む寝具に関する。
【００２１】
請求項５に係る発明は、前記帯状体の表面には、前記蓄光部により凸形状部が形成されることを特徴とする請求項１乃至３何れかに記載の蓄光部を含む寝具に関する。
【００２２】
請求項６に係る発明は、前記帯状体は、ガーゼであることを特徴とする請求項１乃至５何れかに記載の蓄光部を含む寝具に関する。
【発明の効果】
【００２３】
請求項１に係る発明は、長方形状の表地と裏地が帯状体を介して縫合されてなる寝具であって、前記裏地は、その長辺が前記表地の長辺より長く、且つ長辺方向の一方端が前記表地側に折り返されて折り返し部を形成しており、該折り返し部における前記裏地の長辺は前記表地の長辺よりも短く、前記表地と裏地は、前記折り返し部における前記裏地の短辺が前記表地の上方の短辺と前記帯状体を介して縫合されるとともに、２つの長辺と下方の短辺が前記帯状体で包まれて縫合されており、前記帯状体の表面に蓄光部を備えている。従って、折り返し部分が蓄光部をもつ帯状体を介して縫合されているため、帯状体が表面と裏面とで異なる配置となり、使用者が暗所において容易に寝具の表裏及び上下を認識することができるとともに、折り返し部分が外れにくい。また、表面及び裏面に蓄光部を含んだ帯状体が配置されているため、暗所において寝具が裏返った場合でも、使用者は寝具の存在を認識することができる。そして、寝具の端部が帯状体に包まれて縫合されているため、端部のほつれを防止することができる。更に、睡眠時に首元や肩が帯状体を縫い付けられた縁部に接触することがなくなり、使用者は寝心地が悪くなったり、アレルギー反応が生じたりすることなく睡眠をとることができる。
【００２４】
請求項２に係る発明によれば、蓄光部により凸形状部が形成されているため、蓄光部が発光しなくなった場合や、使用者が視覚障害者である場合にも寝具の表裏及び上下を認識させることができる。
【００２５】
請求項３に係る発明によれば、凸形状部は帯状体の表面の一部が起毛加工により形成されていることから、使用者は起毛に触れることにより、寝具の表裏及び上下を認識することができる。
【００２６】
請求項４に係る発明によれば、蓄光部は凸形状部の表面を塗膜することにより形成されることから、蓄光部が発光しなくなった場合や、使用者が視覚障害者である場合にも寝具の表裏及び上下を認識させることができる。
【００２７】
請求項５に係る発明によれば、帯状体は表面に凸形状部を有し凸形状部に蓄光部を備えることで、蓄光部が発光しなくなった場合や、使用者が視覚障害者である場合にも寝具の表裏及び上下を認識させることができる。
【００２８】
請求項６に係る発明によれば、帯状体にガーゼを用いることにより、生地端部のほつれを防止し、寝具縁部の肌触りを良くすることができる。
【図面の簡単な説明】
【００２９】
【図１】本発明に係る蓄光部を含む寝具の表面図である。
【図２】本発明に係る蓄光部を含む寝具の裏面図である。
【図３】図１のＡ−Ａ線断面図である。
【図４】帯状体の表面に凸形状部を形成した状態を示す図である。
【図５】帯状体の表面に凸形状部を形成した状態を示す図である。
【図６】帯状体の表面に凸形状部を形成した状態を示す図である。
【図７】帯状体の表面に凸形状部を形成した状態を示す図である。
【図８】帯状体の表面に凸形状部を形成した状態を示す図である。
【図９】帯状体の表面に凸形状部を形成した状態を示す図である。
【発明を実施するための形態】
【００３０】
本発明は、毛布、上布団、タオルケット等の寝具に関するものである。
本発明の実施の形態の一例について図面を参照して説明する。図１は蓄光部を含む寝具の表面図、図２は蓄光部を含む寝具の裏面図、図３は図１のＡ−Ａ線断面図である。
【００３１】
寝具生地は長方形状であり、表地（１）と裏地（２）から構成されている。裏地（２）の長辺（５）は、表地（１）の長辺（６）より長く形成されている。図１及び図３に示すように、裏地（２）は長辺方向の一方（上方）の短辺（７ｂ）が表地（１）側に折り返されており、折り返された裏地（２）の長辺は、表地（１）の長辺より短い。これにより、寝具の表面（１０）の上方は、折り返された裏地（２）の一部から構成され、それ以外の部分は表地（１）から構成されている（図１参照）。また、裏面（２０）は、裏地（２）のみから構成されている（図２参照）。
【００３２】
表地（１）の２つの長辺（６ａ）、（６ｂ）と、裏地（２）の２つの長辺（５ａ）、（５ｂ）の周縁は、帯状体（４）で包まれて縫合されている。また、表地（１）の他方（下方）の短辺（８ａ）と裏地（２）の他方（下方）の短辺（７ａ）の周縁は、帯状体（４）で包まれて縫合されている。表面（１０）側に折り返された裏地（２）の長辺（５ａ）、（５ｂ）は、裏面（２０）側の裏地（２）の長辺（５ａ）、（５ｂ）と帯状体（４）で包まれて縫合されている。また、表面（１０）側に折り返された裏地（２）の一方（上方）の短辺（７ｂ）の周縁は、表地（１）の一方（上方）の短辺（８ｂ）の周縁と帯状体（４）を介して縫合されている。寝具の表面（１０）には、裏地（２）の一部が折り返されることで、衿当て部（３）が形成されている。
【００３３】
帯状体（４）は、表面に蓄光部（４１）を備えている。蓄光部（４１）は蓄光塗料等の蓄光材料からなる。蓄光部（４１）は、明るい状態では太陽光等の光エネルギーを吸収して一時的に蓄え、暗い状態になると蓄えた光を徐々に放出して発光する性質を有する材料である。帯状体（４）の蓄光部（４１）は、蓄光材料を帯状体（４）の表面に直接塗布することにより構成されるが、蓄光材料を含む繊維により構成されていても構わない。
【００３４】
帯状体（４）に構成される蓄光部（４１）の形状は特に限定されない。図１の要部拡大図には、その形状が円形で示されているが、視覚により寝具の表裏及び上下を認識することができれば、角形、ストライプ、文字や記号等の他の形状であっても構わない。
【００３５】
表面（１０）と裏面（２０）が同じ縫製形態である場合、仮に表地（１）と裏地（２）に異なる生地が用いられるとしても、明るい状態であれば寝具の表裏及び上下を認識することができるが、暗所においては、認識することは困難である。また、上述した蓄光部（４１）を含む帯状体（４）を使用したとしても、表面（１０）と裏面（２０）が同じ縫製形態であると、視覚のみで寝具の表裏及び上下を認識することは難しい。
【００３６】
本発明は表面（１０）と裏面（２０）の帯状体（４）を介した縫製形態が異なり、且つ帯状体（４）に蓄光部（４１）を備えることにより、暗所において視覚のみで寝具の表裏及び上下を容易に認識させることができる。また、表面（１０）及び裏面（２０）に蓄光部を含んだ帯状体（４）を含んでいるため、暗所において寝具が裏返った場合でも、使用者は寝具の存在を認識することができる。更に、折り返し部においては、表地（１）と裏地（２）の端部が帯状体により縫合されているため、折り返し部分が外れたり、ほつれたりしにくい。更に、睡眠時に首元や肩が帯状体を縫い付けられた縁部に接触することがなくなり、使用者は寝心地を悪くすることなく、蓄光材料によるアレルギー反応を生じることもなく、睡眠をとることができる。
【００３７】
帯状体（４）は、合成樹脂製テープ等のテープ状のものを使用しても良いが、本発明においては、ガーゼ織のものを使用することが好ましい。その理由は、生地端部のほつれを防止することに加え、寝具縁部の肌触りを良くすることができるからである。
【００３８】
使用する蓄光材料の種類は特に限定されず、蓄光材料の発光色も特に限定されない。また、発光色は単色であっても複数色であっても構わない。例えば衿当て部（３）に緑色、下縁部に赤色の蓄光材料を使用するなど、色の異なる蓄光材料を帯状体（４）の夫々異なる位置に備えることにより、使用者は寝具の表裏及び上下を明確に認識可能となる。
【００３９】
帯状体（４）の表面には、凸形状部（４２）が形成されていてもよい。凸形状部（４２）は、帯状体（４）の表面に突出するように設けられている。帯状体（４）の表面に凸形状部（４２）を有することにより、暗所において蓄光部（４１）が発光しなくなった場合や、使用者が視覚障害者である場合であっても、使用者は凸形状部（４２）に触れることで寝具の表裏及び上下を認識することができる。
【００４０】
図４乃至９は、帯状体の表面に凸形状部（４２）を形成した状態を示している。
凸形状部（４２）は、図４、５に示すように、帯状体と異なる材質から構成されていてもよく、具体的には、合成ゴム、天然ゴム、シリコーンゴム等のゴムや、合成樹脂からなる突起を帯状体（４）に固着することにより形成されている。この場合、蓄光部（４１）は、図４のように、凸形状部（４２）と異なる帯状体（４）の表面の位置に設けられていてもよく、図５に示すように凸形状部（４２）の表面を塗膜することにより形成されていてもよい。
【００４１】
凸形状部（４２）は、図６、７に示すように帯状体（４）の表面の一部を起毛加工により形成されていてもよい。この場合、凸形状部（４２）は、図６に示すように帯状体（４）に連続的に波形状に設けられてもよく、図７に示すように非連続に設けられる半円形状であってもよい。この場合、蓄光部（４１）は凸形状部（４２）と異なる帯状体（４）の表面の位置に設けられてもよく、起毛に蓄光材料を含む繊維を用いることにより形成されていてもよい。起毛加工には、天然繊維、人工繊維、蓄光材料を含む繊維等が使用されるが、この材質については特に限定されない。
【００４２】
凸形状部（４２）は、図８に示すように帯状体（４）と一体形成されていてもよい。この場合、蓄光部（４１）は凸形状部（４２）の表面を塗膜することにより形成されてもよく、凸形状部（４２）とは異なる位置に設けていてもよい。また、凸形状部（４２）は、図９に示すように蓄光部（４１）により形成されていてもよい。
【００４３】
凸形状部（４２）の形状は、触覚により凸形状部（４２）の存在を認識させることができれば、特に限定されず、円形、角形、ストライプ、文字や記号等の任意の形状を採用することができる。また、凸形状部（４２）の大きさや形成される間隔についても特に限定されない。
【００４４】
凸形状部（４２）は、帯状体（４）の一部のみに形成されていてもよい。例えば、衿当て部（３）の周囲に凸形状部（４２）を設け、衿当て部（３）以外の帯状体（４）には凸形状部（４２）を設けないようにすると、使用者が凸形状部（４２）を有する帯状体（４）に触れることにより、寝具の表裏及び上下を容易に認識できる。
蓄光部（４１）は凸形状部（４２）の全体に設けられていてもよいし、一部のみの領域に設けられていてもよい。
【００４５】
表地（１）の下縁部には、帯状体（４）が縫い付けられている。一方、衿当て部（３）は裏地（２）の一部を表地（１）側に折り返すことにより形成されており、折り返された裏地（２）の長辺は、表地（１）の長辺より短く、上縁部から間隔をあけて縫い付けられるため、帯状体（４）は衿当て部（３）の上縁部には縫合されていない。従って、帯状体が表面と裏面とで異なる配置となり、使用者が暗所において容易に寝具の表裏及び上下を認識することができるとともに、特に使用者が視覚に障害がある場合、衿当て部（３）に触れることで、寝具の上部及び下部を認識することができる。また、使用者は帯状体が首や肩元に接触することがなく、寝心地を悪くすることなく、蓄光部（４１）によるアレルギー反応を生じることもなく睡眠できる。
【００４６】
衿当て部（３）が形成されることにより、図１及び２に示すように、寝具の表面（１０）と裏面（２０）とが異なる縫製形態となっている。これにより、使用者が暗所において容易に寝具の表裏及び上下を認識することができるとともに、使用者は表面（１０）の折り返された裏地（２）の上方の短辺（７ｂ）と表地（１）の上方の短辺（８ｂ）とを縫合している帯状体（４）に触れることで、寝具の表面（１０）と裏面（２０）とを認識することができる。
【００４７】
帯状体（４）の幅は、特に限定されないが、寝具の端部を縫合している帯状体の幅は３〜５ｃｍであることが好ましい。また、表面（１０）側に折り返された裏地（２）の短辺（７ｂ）と、表地（１）の上方の短辺（８ｂ）とを縫合している帯状体（４）の幅は、１〜３ｃｍであることが好ましい。夫々の幅を異なるものにした場合、暗所においても蓄光部（４１）の発光領域及び凸形状領域の相違が明確になり、使用者に寝具の表裏及び上下を容易に認識させることができる。
【００４８】
寝具の長辺に対する、表面（１０）に一部折り返される裏地（２）の長さは、折り返された裏地（２）の長辺は、表地（１）の長辺より短いため、帯状体（４）は表面の上部に配置されている。この折り返される裏地（２）の長さは寝具の上下を認識させることができるのであれば、特に限定されないが、例えば、長辺に対して５〜２０％の範囲とすることが好ましい。
【００４９】
本発明に係る寝具のサイズは特に限定されず、例えばベビー、ジュニア、シングル、セミダブル、ダブル、クイーン、キング等の様々なサイズで好適に利用される。
【産業上の利用可能性】
【００５０】
本発明は、毛布、上布団、タオルケット等の寝具に好適に利用される。
【符号の説明】
【００５１】
１    表地
２    裏地
４    帯状体
４１  蓄光部
４２  凸形状部
５    裏地の長辺
６    表地の長辺
【図１】
2016067737.tif 000003
【図２】
2016067737.tif 000004
【図３】
2016067737.tif 000005
【図４】
2016067737.tif 000006
【図５】
2016067737.tif 000007
【図６】
2016067737.tif 000008
【図７】
2016067737.tif 000009
【図８】
2016067737.tif 000010
【図９】
2016067737.tif 000011